【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
物品の搬送経路に沿って走行する無端搬送部材を有する搬送手段と、前記無端搬送部材に連結されて一群の物品を保持しながら搬送させる保持手段と、前記搬送経路外から前記保持手段へ物品を受け入れる受入手段とを備え、前記保持手段は、前記一群の物品の前後に配置されてこれらの物品を保持する第１、第２の保持部材を有し、前記受入手段は、前記搬送経路を出退して前記一群の物品の最後端を保持する後端保持部材を有する搬送装置。
【請求項２】
請求項１に記載の搬送装置であって、物品の受け入れに同期して前記後端保持部材の駆動を制御する制御部をさらに備える搬送装置。
【請求項３】
請求項１又は２に記載の搬送装置であって、前記後端保持部材は、前記一群の物品の最後端を交互に保持する第１、第２の後端保持部材で構成されている搬送装置。
【請求項４】
請求項１〜３のいずれかに記載の搬送装置であって、前記物品は袋詰め物品であり、前記第１、第２の保持部材、及び後端保持部材は、それぞれ、先端部が櫛歯状とされていると共に、前記一群の物品を縦姿勢で保持し、前記第１、第２の保持部材と後端保持部材とは、櫛歯状部位を介して互いに交差可能に構成されている搬送装置。
【請求項５】
請求項１〜４のいずれかに記載の搬送装置であって、少なくとも前記搬送経路に設けられ、前記搬送経路に沿って物品を案内するガイド部材をさらに備える搬送装置。
【請求項６】
請求項１〜５のいずれかに記載の搬送装置であって、前記第１、第２の保持部材間の間隔が調整可能である搬送装置。
【請求項７】
請求項２に記載の搬送装置であって、前記保持手段と前記搬送手段とは、それぞれ、複数が備えられており、前記制御部は、複数の前記保持手段と前記搬送手段との駆動を、それぞれ独立して制御する搬送装置。
【請求項８】
請求項１〜７のいずれかに記載の搬送装置であって、前記受入手段に対して物品を縦姿勢で搬入可能な搬入装置をさらに備え、前記搬入装置は、走行面を垂直にした第１ベルトと、受入手段側では走行面が前記第１ベルトと対向し、上流側では走行面が水平になるようにねじられた第２ベルトと、前記第１ベルト及び第２ベルトの下方に配置され、走行面が水平である第３ベルトとを有する搬送装置。
【請求項９】
請求項８に記載の搬送装置であって、前記第１、第２ベルト間の間隔が調整可能である搬送装置。
【請求項１０】
請求項２又は７に記載の搬送装置であって、搬送される一群の物品の種類ごとに、前記後端保持部材の駆動パターンを記憶する記憶部が備えられ、前記制御部は、該記憶部に記憶された駆動パターンに基づき駆動を制御する搬送装置。
【請求項１１】
請求項１〜１０のいずれかに記載の搬送装置と、前記搬送装置の下流端部近傍で前記搬送装置から排出された一群の物品を箱詰めする装置とを備えた箱詰め措置。
【手続補正２】
【補正対象書類名】明細書
【補正対象項目名】００１９
【補正方法】変更
【補正の内容】
【００１９】
まず、請求項１に記載の発明は、搬送装置において、物品の搬送経路に沿って走行する無端搬送部材を有する搬送手段と、前記無端搬送部材に連結されて一群の物品を保持しながら搬送させる保持手段と、前記搬送経路外から前記保持手段へ物品を受け入れる受入手段とを備え、前記保持手段は、前記一群の物品の前後に配置されてこれらの物品を保持する第１、第２の保持部材を有し、前記受入手段は、前記搬送経路を出退して前記一群の物品の最後端を保持する後端保持部材を有することを特徴とする。
【手続補正３】
【補正対象書類名】明細書
【補正対象項目名】００２３
【補正方法】変更
【補正の内容】
【００２３】
そして、請求項２に記載の発明によれば、前記請求項１に記載の搬送装置において、物品の受け入れに同期して前記後端保持部材の駆動を制御する制御部をさらに備えたことを特徴とし、これによれば、受入手段は、物品を確実に受け入れることができる。
【手続補正４】
【補正対象書類名】明細書
【補正対象項目名】００２４
【補正方法】変更
【補正の内容】
【００２４】
次に、請求項３に記載の発明は、前記請求項１又は請求項２に記載の搬送装置において、前記後端保持部材は、前記一群の物品の最後端を交互に保持する第１、第２の後端保持部材で構成されていることを特徴とする。
【手続補正５】
【補正対象書類名】明細書
【補正対象項目名】００２７
【補正方法】変更
【補正の内容】
【００２７】
また、請求項４に記載の発明は、前記請求項１から請求項３のいずれかに記載の搬送装置において、前記物品は袋詰め物品であり、前記第１、第２の保持部材、及び後端保持部材は、それぞれ、先端部が櫛歯状とされていると共に、前記一群の物品を縦姿勢で保持し、前記第１、第２の保持部材と後端保持部材とは、櫛歯状部位を介して互いに交差可能に構成されていることを特徴とする。
【手続補正６】
【補正対象書類名】明細書
【補正対象項目名】００２９
【補正方法】変更
【補正の内容】
【００２９】
また、請求項５に記載の発明は、前記請求項１から請求項４のいずれかに記載の搬送装置において、少なくとも前記搬送経路に設けられ、前記搬送経路に沿って物品を案内するガイド部材がさらに備えられていることを特徴とする。
【手続補正７】
【補正対象書類名】明細書
【補正対象項目名】００３０
【補正方法】変更
【補正の内容】
【００３０】
この発明によれば、保持手段に保持された一群の物品は、搬送経路に沿って設けられたガイド部材に案内されながら搬送されることになり、搬送中の物品の配列乱れなどが防止される。
【手続補正８】
【補正対象書類名】明細書
【補正対象項目名】００３１
【補正方法】変更
【補正の内容】
【００３１】
また、請求項６に記載の発明は、前記請求項１から請求項５のいずれかに記載の搬送装置において、前記第１、第２の保持部材間の間隔が調整可能であることを特徴とする。
【手続補正９】
【補正対象書類名】明細書
【補正対象項目名】００３３
【補正方法】変更
【補正の内容】
【００３３】
また、請求項７に記載の発明は、前記請求項２に記載の搬送装置において、前記保持手段と前記搬送手段とは、それぞれ、複数が備えられており、前記制御部は、複数の前記保持手段と前記搬送手段との駆動を、それぞれ独立して制御することを特徴とする。
【手続補正１０】
【補正対象書類名】明細書
【補正対象項目名】００３５
【補正方法】変更
【補正の内容】
【００３５】
また、請求項８に記載の発明は、前記請求項１から請求項７のいずれかに記載の搬送装置において、前記受入手段に対して物品を縦姿勢で搬入可能な搬入装置をさらに備え、前記搬入装置は、走行面を垂直にした第１ベルトと、受入手段側では走行面が前記第１ベルトと対向し、上流側では走行面が水平になるようにねじられた第２ベルトと、前記第１ベルト及び第２ベルトの下方に配置され、走行面が水平である第３ベルトとを有することを特徴とする。
【手続補正１１】
【補正対象書類名】明細書
【補正対象項目名】００３８
【補正方法】変更
【補正の内容】
【００３８】
また、請求項９に記載の発明は、前記請求項８に記載の搬送装置において、前記第１、第２ベルト間の間隔が調整可能であることを特徴とする。
【手続補正１２】
【補正対象書類名】明細書
【補正対象項目名】００４０
【補正方法】変更
【補正の内容】
【００４０】
また、請求項１０に記載の発明は、前記請求項２又は請求項７に記載の搬送装置において、搬送される一群の物品の種類ごとに、前記後端保持部材の駆動パターンを記憶する記憶部が備えられ、前記制御部は、該記憶部に記憶された駆動パターンに基づき駆動を制御することを特徴とする。
【手続補正１３】
【補正対象書類名】明細書
【補正対象項目名】００４２
【補正方法】変更
【補正の内容】
【００４２】
そして、請求項１１に記載の発明は、箱詰装置において、前記請求項１から請求項１０のいずれかに記載の搬送装置と、前記搬送装置の下流端部近傍で前記搬送装置から排出された一群の物品を箱詰めする装置とを備えたことを特徴とする。